(57)【要約】  【課題】  顧客に、組合わせを有する一定の範囲の商品について一揃いの組合わせサンプルを展示して購入させる場合には、従来の商品陳列販売方法や設備では不可能であった。  【解決手段】  一つの展示場１の略中央部に移動可能なモデル展示台２を設置して１つ乃至複数のモデル商品５を展示し、モデル展示台２に向う複数の通路３を設け、複数の通路３間にモデル展示台２を中心に略同心円状に設けられる移動可能な陳列販売台４を複数設置するとともに、モデル展示台２に展示した一組のモデル商品５の各々のモデル商品５０と対応又は関連する多種多数の販売商品５００を、モデル展示台２の近辺の陳列販売台４ａから遠隔の陳列販売台４ｎへ陳列することにより、モデル展示台２に展示している一組のモデル商品５に対応又は関連した各々の販売商品５００の幾つかを販売する商品陳列販売方法又は商品陳列販売設備による。【選択図】  図１
2005253607.tif 000002
【特許請求の範囲】
【請求項１】
一つの展示場の略中央部に移動可能なモデル展示台を設置して１つ乃至複数のモデル商品を展示し、モデル展示台に向う複数の通路を設け、複数の通路間にモデル展示台を中心に略同心円状に設けられる移動可能な陳列販売台を複数設置するとともに、モデル展示台に展示した一組のモデル商品の各々のモデル商品と対応又は関連する多種多数の販売商品を、モデル展示台の近辺の陳列販売台から遠隔の陳列販売台へ陳列することにより、モデル展示台に展示している一組のモデル商品に対応又は関連した各々の販売商品の幾つかを販売することを特徴とする商品陳列販売方法。
【請求項２】
一つの展示場の略中央部に移動可能かつ複数のモデルの展示が可能な複数のモデル展示部を有するモデル展示台を回転可能に設置し１つ乃至複数のモデル商品を展示し、モデル展示台に向う複数の通路を設け、複数の通路間にモデル展示台を中心に略同心円状に設けられる移動可能な陳列販売台を複数設置するとともに、モデル展示台に展示した複数の組のモデル商品の各々のモデル商品と対応又は関連する多種多数の販売商品を、モデル展示台の近辺の陳列販売台から遠隔の陳列販売台へ陳列することにより、１のモデル展示部に展示している一組のモデル商品に対応又は関連した各々の販売商品の幾つかを販売することを特徴とする商品陳列販売方法。
【請求項３】
一つの展示場の略中央部に移動可能かつ回転可能に設置し複数のモデル展示部を有するモデル展示台と、モデル展示台に下り傾斜して向う複数の通路と床下設備を設置可能な床部材と、複数の通路間にモデル展示台を中心に略同心円状に設けられる移動可能な複数の陳列販売台とを有し、モデル展示台は回転中心を背に複数設けられる仕切り板によって複数のモデル展示部に分かれることを特徴とする商品陳列販売設備。
【発明の詳細な説明】
【技術分野】
【０００１】
この発明は、比較的大規模商業施設における商品の陳列販売方法及び商品の陳列販売設備に係り、詳細には衣類のようにコートから下着までというように多数の関連する商品を組合わせることによってなる一つのコーディネート可能な商品の陳列販売方法であり、それに関連する商品の陳列販売設備に関する。
【背景技術】
【０００２】
デパートや、展示会などの比較的大規模な商業施設において商品の陳列販売方法や設備としては、一般的に通路は、複数の並列、直角の通路、いわゆる碁盤の目状の通路からなり、それぞれの類似の商品毎に一定の場所を占拠して陳列販売されている。
【０００３】
例えば、衣類においては、下着類、靴下、手袋、パンツ、セーター、シャツ、コート、マフラーなどから、フォーマルなスーツなど、それぞれの商品種類毎に何百点もの商品がワンフロア又は異なるフロアに亘ってそれぞれ異なる一定の場所に集合して陳列されていた。
【０００４】
従来技術としては、「サンプルの陳列と商品群の陳列とをバランスよく、しかも機能的に行うことのできる衣料陳列構造」として、特開平９−２７６１００号公報（特許文献１）に「細長状陳列棚の上部に、ｎ種類の衣料をサンプルとしてハンガーにそれぞれ広げた状態で並列的に吊り下げ保持するサンプル保持手段が着脱自在に取り付けられ、上記細長状陳列棚の下部に、上記ｎ種類のサンプル衣料と同一衣料を折り畳んで商品化した商品群を、種類別に区別した状態で複数個ずつ並べて保持する商品保持棚が少なくとも一段、着脱自在に取り付けられ、上記各ハンガーに、そのハンガーに吊り下げられる衣料の種類をシンボル表示するシールが着脱自在に付着されていることを特徴」とした構成の開示がある。
【０００５】
また、特開２００３−２１９９４３号公報（特許文献２）には、「既製服陳列方法及び該陳列方法を採用した既製服販売設備」として、「売り場を身体の胸囲Ａ２と胸囲Ａ２及び腰囲Ａ３とから得られる体型数値１８の胸囲Ａ２を表す売場標記３２毎に区画して各売場空間とし、更に、該各売場空間を身長Ａ１を表す陳列標記４６毎に区分けして各陳列空間とし、前記各売場空間には前記体型数値１８に該当するサイズの紳士用スーツ４５をそれぞれ集合陳列すると共に、前記各陳列空間には前記身長Ａ１に該当するサイズの紳士用スーツ４５をそれぞれ集合陳列し、前記各売場標記３２に従って顧客Ａを前記各売場空間に誘導する売場空間案内支柱を店舗内に配設して該売場空間案内支柱により前記各売場空間が指示されて所望サイズの紳士用スーツ４５が特定できる」構成の開示がある。
【特許文献１】特開平９−２７６１００号公報
【特許文献２】特開２００３−２１９９４３号公報
【発明の開示】
【発明が解決しようとする課題】
【０００６】
従来の陳列販売方法や設備は、ある種類の商品、例えば衣料品であれば、下着類、紳士用スーツ、女性用ドレス、コート、手袋や靴下などの商品群ごとに区分けされ、顧客が、その中の範囲で、ある商品を効率よく選択できるか、又は商品サンプルを見やすくすること等を考慮したものである。
【０００７】
例えば、特許文献１は、複数種類の衣料の一つを見やすくハンガーに掛けて展示し、その下部に折り畳んだ同様な商品を複数置きシンボル表示することで、一々商品を広げて確認する手間を省く効果を求めたものである。また、特許文献２は、その人に一番適合するサイズを求めやすくする商品の陳列販売方法である。  
【０００８】
しかし、顧客に、組合わせを有する一定の範囲の商品について一揃いの組合わせサンプルを展示して購入させる場合には、従来の商品陳列販売方法や設備では不可能であった。例えば、下着からコートまでコーディネートされた一揃いのファッション性を有する衣類一式又はその一部を、顧客に購入させようとした場合、従来のそれぞれの下着類、シャツ、スーツ、コートなどの売場が、独立していると、その一揃いの衣類がどこの売場にあるのか直ぐに判別できず、手間が掛かるため、顧客が購入意欲を減じてしまう問題点があった。
【０００９】
この発明は、顧客に組合わせを有する一定の範囲の商品、例えば、下着からコートまでコーディネートされた一揃いのファッション性を有する衣類一式又はその一部を、一揃いの組合わせサンプルを展示して購入させる商品陳列販売方法や設備を得ることを目的とする。
【課題を解決するための手段】
【００１０】
上記課題を解決するため、一つの展示場の略中央部に移動可能なモデル展示台を設置して１つ乃至複数のモデル商品を展示し、モデル展示台に向う複数の通路を設け、複数の通路間にモデル展示台を中心に略同心円状に設けられる移動可能な陳列販売台を複数設置するとともに、モデル展示台に展示した一組のモデル商品の各々のモデル商品と対応又は関連する多種多数の販売商品を、モデル展示台の近辺の陳列販売台から遠隔の陳列販売台へ陳列することにより、モデル展示台に展示している一組のモデル商品に対応又は関連した各々の販売商品の幾つかを販売することを特徴とする商品陳列販売方法を提案する。
【００１１】
また、一つの展示場の略中央部に移動可能かつ複数のモデルの展示が可能な複数のモデル展示部を有するモデル展示台を回転可能に設置し１つ乃至複数のモデル商品を展示し、モデル展示台に向う複数の通路を設け、複数の通路間にモデル展示台を中心に略同心円状に設けられる移動可能な陳列販売台を複数設置するとともに、モデル展示台に展示した複数の組のモデル商品の各々のモデル商品と対応又は関連する多種多数の販売商品を、モデル展示台の近辺の陳列販売台から遠隔の陳列販売台へ陳列することにより、１のモデル展示部に展示している一組のモデル商品に対応又は関連した各々の販売商品の幾つかを販売することを特徴とする商品陳列販売方法を提案する。
【００１２】
更に、一つの展示場の略中央部に移動可能かつ回転可能に設置し複数のモデル展示部を有するモデル展示台と、モデル展示台に下り傾斜して向う複数の通路と床下設備を設置可能な床部材と、複数の通路間にモデル展示台を中心に略同心円状に設けられる移動可能な複数の陳列販売台とを有し、モデル展示台は回転中心を背に複数設けられる仕切り板によって複数のモデル展示部に分かれることを特徴とする商品陳列販売設備を提案する。
【発明の効果】
【００１３】
この発明によれば、一つの展示場、例えばデパート等のワンフロアの中心部に、組合わせを有する一定の範囲の商品、例えば、下着からコートまでコーディネートされた一揃いのファッション性を有する衣類一式又はその一部を、一揃いの組合わせモデルを展示し、かつその周辺に、同様な下着からコートまで一揃いの衣類を順次陳列することができるため、顧客に、それらの組合わせを有する一定の範囲の商品一式を同時かつ数点を購入させやすくなる効果がある。
【発明を実施するための最良の形態】
【００１４】
この発明の一つの実施形態に関し、この発明の平面説明図である図１、同じく図１のＡＡ線断面説明図である図２、モデル展示台の正面図である図３，同じく平面図である図４に基づいて説明する。
【００１５】
最初に、この発明の商品陳列販売方法の１の実施形態について説明する。図１及び図２に示すように、この発明の商品陳列販売方法は、一つの展示場１、例えばデパートのワンフロア１の略中央部に移動可能なモデル展示台２を設置して１つ乃至複数のモデル商品５を展示し、モデル展示台２に向う放射状の複数の通路３を設け、複数の通路３間にモデル展示台２を中心に略同心円状に設けられる移動可能な陳列販売台４を複数設置するとともに、モデル展示台２に展示したモデル商品５に関連した一組のそれぞれの商品に対応する関連した多種多数の商品５００を、モデル展示台２の近辺の陳列販売台４ａから遠隔の陳列販売台４ｎへ陳列することにより、モデル展示台２のモデル商品５に展示している関連した一組の商品の幾つかを販売する。
【００１６】
モデル展示台２は、数ｃｍから数メートルの高さを有する平面円形台であり、ターンテーブル式で緩やかに回転可能である。この実施例では、モデル展示台２は、回転中心２１を背に設けられる４つの平面視曲面状仕切り板２２によって、４つのモデル展示部２０に別けられている。それぞれの仕切り板２２は、正面視では上部を放物線の辺から成り、隣接する仕切り板２２と接している。それぞれのモデル展示部２０には、モデル商品５を展示するが、この実施例では商品は衣類である。したがって、モデル展示部２０に展示しているモデル商品５は、下着からコート、帽子、手袋、及びブーツ等の靴類を含めた春夏秋冬のファッション性のある一組の衣類である。
【００１７】
展示される衣類のモデル商品５は、身につけられるほとんど全ての衣類であり、例えばコート、ブラウス、スカート、スラックス、ストッキング、手袋、帽子、スカーフ、肌着、ネックレス、イヤリング、時計、バッグ、サングラス、メガネ、靴類、スポーツウェア、傘などの他、季節によっては水着、スキー用品などがあり、これらの中から任意の組み合わせによって展示される。このモデル商品５である一つのファッションからなる組合わせ一式の衣類５ａは、１つのマネキンに着せて、１つのモデル展示部２０ａに展示される。また、これとは異なるファッションからなる組合わせ一式の衣類５ｂは、他のマネキンに着せて、他のモデル展示部２０ｂに展示される。この実施例ではモデル展示部２０は４つなので、同様に４つのファッション性のあるそれぞれ異なる衣類の組合わせのモデル商品５ａ、５ｂ、５ｃ、５ｄを展示する。これらの４つのモデル商品５は、それぞれモデル展示部２０に設けた識別可能な色、形状、アルファベットなどの文字、数字などのシンボルや照明からなる識別表示６を設け、それによって他のモデル商品５と識別できるようにする。
【００１８】
一つの展示場１の略中央のモデル展示台２からほぼ平面視で放射線状に複数の通路３を設けている。それぞれの通路３は、モデル展示台２に向かって設けられている。それぞれの通路３は、平坦でもよいが、この実施形態では図２に示すように、中央のモデル展示台２に向かって下り傾斜に設けており、展示場１全体の床面１０が緩やかな逆円錐状に設けられている。放射状の通路３は、この実施例では４本だが、規模によって任意に設けられる。床面１０を形成する床部材と、展示場１の原床面１１の間の空間には、電線１２などコード類を設けることができる。
【００１９】
各通路３間にモデル展示台２を中心に略同心円状に設けられる移動可能な陳列販売台４を複数設置する。この陳列販売台４の前及び／又は後には、同じくモデル展示台２を中心に略同心円状に設けられる同心円通路３０を設ける。各陳列販売台４は、適当な長さで隣接する陳列販売台４と組み合わせられるように着脱自在に構成されている。
【００２０】
モデル展示台２のそれぞれのモデル展示部２０、例えばモデル展示部２０ａに展示したモデル商品５ａに関連した一組のそれぞれの各種商品、例えばモデル商品５ａのモデルコート５０ａ、モデル帽子５１ａ、モデル手袋５２ａなどに対応し関連した実際に売られる多種多数の販売商品５００ａ、コート５００ａや帽子５１０ａ、手袋５２０ａを、モデル展示部２０ａに向かう通路３ａの両側付近の陳列販売台４に陳列する。このとき、それぞれの商品は、色や形状、字などのシンボルや照明によって、コート、帽子、手袋などを適宜、モデル展示台２から近いところから遠隔の陳列販売台４ｎへ陳列する。例えば、帽子、手袋などを中心近くに配し、コート５００ａを遠隔に配してもよい。
【００２１】
このようにモデル商品５ａと、販売商品５００ａなどを、そのモデル商品５ａに関連する通路３ａや、一部の関連する一定の場所に陳列販売することによって、モデル展示部２０ａに展示しているモデル商品５ａに関連した複数の商品、例えばコート５００ａ、帽子５１０ａ、手袋５２０ａコートを販売することができる。
【００２２】
更に、一番遠隔の陳列販売台４の外側に適宜数の試着室７を設けて、それぞれの販売商品５００の試着を可能とし、消費者の利便性を図る。
【００２３】
次に、この発明の商品陳列販売設備の一つの実施形態について説明する。一つの展示場１の略中央部に移動可能かつ回転可能に設置するモデル展示台２と、モデル展示台２に下り傾斜して向う複数の通路３と床下設備１２を設置可能な床部材１０と、複数の通路３間にモデル展示台２を中心に略同心円状に設けられる移動可能な複数の陳列販売台４とを有する。
【００２４】
モデル展示台２は、この実施形態では数ｃｍから数メートルの高さを有する平面円形台であり、ターンテーブル式で緩やかに回転可能である。他の実施形態では、平面視多角形でもよく、台の高さも１つの展示場１、またはワンフロアの全てからモデル展示部２０に展示されるモデル商品５が見える高さであればよい。また、台は回転しない固定式でもよい。
【００２５】
この実施例では、モデル展示台２は、回転中心２１を背に設けられる４つの平面視曲面状仕切り板２２によって、４つのモデル展示部２０に別けられている。それぞれの仕切り板２２は、正面視では上部を放物線の辺から成り、隣接する仕切り板２２と接している。それぞれのモデル展示部２０には、モデル商品５を展示するが、この実施例では商品は衣類である。モデル展示部２０の数は、変更が可能であり、仕切り板２２の平面視曲面の曲率を変更して行う。モデル展示台２の台上面の広さや、モデル商品の性質にもよるが、モデル展示部２０の数は、２乃至１０程度が可能である。
【００２６】
それぞれモデル展示部２０には、識別表示６を設けている。識別表示６は、色、形状、アルファベットなどの文字、数字などのシンボルや照明からなる。
【００２７】
この実施形態では、一つの展示場１は、略中央のモデル展示台２の位置する場所が一番低く周辺に行くほど高くなるすり鉢状又は逆円錐状の床面１０からなっている。床面１０には、略中央のモデル展示台２からほぼ平面視で放射状に複数の直線状通路３を設けている。それぞれの直線状通路３は、モデル展示台２に向かって設けられている。したがってそれぞれの直線状通路３は、この実施形態では図２に示すように、中央のモデル展示台２に向かって下り傾斜になる。放射状の通路３は、この実施例では４本だが、規模によって任意に設けられる。床面１０を形成する床部材と、展示場１の原床面１１の間の空間には、電線１２などコード類を配して設ける。
【００２８】
各直線状通路３間には、モデル展示台２を中心に略同心円状に設けられる移動可能な陳列販売台４を複数設置する。この陳列販売台４の前及び／又は後には、同じくモデル展示台２を中心に略同心円状に設けられる同心円通路３０を設ける。各陳列販売台４は、適当な長さで隣接する陳列販売台４と組み合わせられるように着脱自在に構成される。陳列販売台４の一つの長さは、全て同じにして、その組合わせによって、長さを調節する。モデル展示台２に近い陳列販売台４は、同心円の曲率の大きい平面形状の台として形成し、近い陳列販売台４は、同心円の曲率の大きい平面形状の台に形成する。
【００２９】
更に、一番遠隔の陳列販売台４の外側に適宜数の試着室７を設けて、それぞれの販売商品５００の試着を可能とし、消費者の利便性を図る。
【産業上の利用可能性】
【００３０】
デパートなどの大規模な商業施設、商品展示会、見本市などにおける商品の展示販売に利用できる。
【図面の簡単な説明】
【００３１】
【図１】この発明の一つの実施形態の平面説明図
【図２】同じく図１のＡＡ線断面説明図
【図３】この発明の一つの実施形態のモデル展示台の正面図
【図４】同じくモデル展示台の平面図
【符号の説明】
【００３２】
１  展示場（ワンフロア）  
１０  床面
１１  原床面
１２  電線などのコード
２  モデル展示台  
２０（２０ａ、２０ｂ、２０ｃ、２０ｄ）  モデル展示部
２１  回転中心
２２  仕切り板
３  通路（放射線状）
３０  同心円状通路
４（４ａ−−−４ｎ）陳列販売台
５（５ａ、５ｂ、５ｃ、５ｄ）  一組のモデル商品
５０、５１、５２  各々のモデル商品
５００、５１０、５２０  各々のモデル商品に対応する各々の販売商品
６  識別表示
７  試着室
【図１】
2005253607.tif 000003
【図２】
2005253607.tif 000004
【図３】
2005253607.tif 000005
【図４】
2005253607.tif 000006